(57)【要約】  本発明は、第１の解除不可能な締結手段により接続されている第１の複数の個々の区画を含む、洪水防止障壁を提供し、前記複数の個々の区画は、第１の複数の個々の区画を第２の複数の個々の区画に解除可能に締結するのに有効な、少なくとも１つの第２の解除可能な締結手段を含む。また、共に接続されておりかつ障壁の少なくとも一方の側面に沿って個々の区画を横断して延在している不透水性材料の連続長が設けられている第１の複数の個々の区画、共に接続されておりかつ障壁の少なくとも一方の側面に沿って個々の区画を横断して延在している不透水性材料の連続長が設けられている第２の複数の個々の区画、および第１の複数の個々の区画を第２の複数の個々の区画に締結する締結手段を含む洪水防止障壁と、前記洪水防止障壁を配備する方法およびその使用とが提供される。
2016532033.tif 000002
【特許請求の範囲】
【請求項１】
洪水防止障壁であって、
ａ．共に接続されておりかつ前記障壁の少なくとも一方の側面に沿って個々の区画を横断して延在している不透水性材料の連続長が設けられている、第１の複数の個々の区画と、
ｂ．共に接続されておりかつ前記障壁の少なくとも一方の側面に沿って個々の区画を横断して延在している不透水性材料の連続長が設けられている、第２の複数の個々の区画と、
ｃ．前記第１の複数の個々の区画を前記第２の複数の個々の区画に締結する締結手段と
を含む、洪水防止障壁。
【請求項２】
洪水防止障壁であって、
第１の解除不可能な締結手段により接続されている第１の複数の個々の区画を含み、前記複数の個々の区画は、前記第１の複数の個々の区画を第２の複数の個々の区画に解除可能に締結するのに有効な少なくとも１つの第２の解除可能な締結手段を含む、洪水防止障壁。
【請求項３】
前記第１の複数の個々の区画を前記第２の複数の個々の区画に締結する前記締結手段は、前記複数の個々の区画の端部区画上に設けられており、随意に、第２の複数の個々の区画の前記補完的締結手段は端部区画上にあり、かつ／または
前記個々の区画はバッグであり、かつ／もしくは
各個々の区画は側壁および基部を含み、かつ／もしくは
前記個々の区画のいくつかまたは全てが充填材を含有し、随意に、前記充填材は、砂、土、土壌、石、岩、瓦礫、コンクリート、破片、およびそれらの２つ以上の組合せから選択され、かつ／もしくは
充填材が隣接した個々の区画間に落下しないようにする手段をさらに含み、随意に、充填材が隣接した個々の区画間に落下しないようにする前記手段は、前記区画間に延在しておりかつその他の個々の区画に隣接した前記側壁の各々の内面に締結されている材料を含み、かつ／もしくは
前記洪水防止障壁は自立性であり、かつ／もしくは
前記個々の区画のいくつかまたは全ては堅い布で作製されており、かつ／もしくは
前記個々の区画のいくつかまたは全てはポリプロピレンで作製されている、
請求項１または２に記載の洪水防止障壁。
【請求項４】
前記個々の区画のいくつかまたは全てはＣｏｒｒｅｘ硬化材料を含み、剛性を実現するかもしくは高め、かつ／または
硬化材料のパネルをさらに含み、随意に、前記パネルは個々の区画の側壁内に形成されているポケット内に挿入され、かつ／もしくは随意に、２つの隣接したパネルは個々の区画の２つの対向側壁の各々において使用される、
請求項１から３のいずれかに記載の洪水防止障壁。
【請求項５】
硬化手段が前記個々の区画の全側面上に存在している、請求項４に記載の洪水防止障壁。
【請求項６】
前記個々の区画のいくつかまたは全ては開放可能な基部を含み、かつ／または
３個以上の複数の個々の区画を含み、かつ／もしくは
前記個々の区画のいくつかまたは全ては持上げ手段を含み、かつ／もしくは
前記複数の個々の区画は１０個の個々の区画から構成されており、かつ／もしくは
前記洪水防止障壁はその側面の一方の全体に沿って不透水性であり、随意に、
前記不透水性側面の、前記複数の個々の区画の反対側側面は不透水性であり、かつ／もしくは
前記不透水性側面は、前記不透水性側面の反対側の前記側面とは異なって着色されている、
請求項１から５のいずれかに記載の洪水防止障壁。
【請求項７】
不透水性材料は、複数の個々の区画の外側面に沿って延在しており、随意に、
前記外側面は、別の個々の区画に隣接した個々の区画の側面に対して垂直な側面であり、かつ／または
前記材料は前記複数における１つ１つの区画の側面に沿って延在している
請求項１から６のいずれかに記載の洪水防止障壁。
【請求項８】
前記材料は、前記複数の個々の区画を第２の複数の個々の区画に締結する前記締結手段をそれが覆うことができるように、前記複数の個々の区画の前記側面を越えて延在しているか、または
前記材料は、前記複数の個々の区画を第２の複数の個々の区画に締結する前記締結手段を含む、
請求項７に記載の洪水防止障壁。
【請求項９】
前記材料は前記複数の個々の区画の真下に延在している、請求項７または８のいずれか一項に記載の洪水防止障壁。
【請求項１０】
前記第１の複数の個々の区画を前記第２の複数の個々の区画に締結する前記締結手段はジッパおよび／もしくはバックルを含み、かつ／あるいは
前記第１の複数の個々の区画を前記第２の複数の個々の区画に締結する前記締結手段は、前記複数の個々の区画の一方の側面にのみ設けられているか、または前記第１の複数の個々の区画を前記第２の複数の個々の区画に締結する前記締結手段は、前記複数の個々の区画の両側面に設けられている、
請求項１から９のいずれかに記載の洪水防止障壁。
【請求項１１】
前記または各複数の個々の区画内の隣接した個々の区画間に締結手段を含み、随意に、
前記または各複数の個々の区画内の隣接した個々の区画間の前記締結手段はバックルもしくはジッパなどの解除可能な締結手段であり、かつ／あるいは
前記締結手段は、前記不透水性材料の連続シートの、前記障壁の反対側の前記区画上に設けられている、
請求項１から１０のいずれかに記載の洪水防止障壁。
【請求項１２】
前記複数の個々の区画の少なくとも一方の側面の最上部から底部までの距離の少なくとも一部に延在している圧縮性部材をさらに含み、かつ／または
前記複数の個々の区画の少なくとも一方の側面の基部に沿った前記距離の少なくとも一部に延在している圧縮性部材をさらに含み、随意に、
前記圧縮性部材は発泡体を含み、かつ／もしくは
前記圧縮性部材は弾性的に圧縮性であり、かつ／もしくは
複数の個々の区画の一方の側面に沿って前記距離の少なくとも一部に延在している圧縮性部材が、前記第１の複数の個々の区画を前記第２の複数の個々の区画に締結する固定手段により前記２つが取り付けられた場合、１つまたは複数の個々の区画の別のグループの隣接した側面に沿って前記距離の少なくとも一部に延在している圧縮性部材からずらされている、
請求項１から１１のいずれかに記載の洪水防止障壁。
【請求項１３】
前記個々の区画の少なくとも１つの前記最上部を少なくとも部分的に覆って延在している蓋部をさらに含み、随意に、前記蓋部は、前記障壁の前記最上部を少なくとも部分的に覆って前記障壁の前記側面から延在している前記不透水性材料により少なくとも部分的に形成される、請求項１から１２のいずれかに記載の洪水防止障壁。
【請求項１４】
請求項１から１３のいずれかに記載の洪水防止障壁を配備する方法であって、折り畳まれた複数の個々の区画を配備現場に運搬するステップと、前記複数の個々の区画を広げるステップと、前記個々の区画のいくつかまたは全てを充填材で満たすステップであり、その前または後に、前記複数の個々の区画は、前記第１の複数の個々の区画を前記第２の複数の個々の区画に締結する前記締結手段により、１つまたは複数の個々の区画の別のグループに取り付けられる、満たすステップとを含み、随意に、前記洪水防止障壁の端部にある個々の区画が充填材で満たされ、前記複数の個々の区画を広げ、立てるために、その後、前記洪水防止障壁の反対側端部に張力がかけられる、方法。
【請求項１５】
洪水などの自然の力に対抗する障壁としての、請求項１から１３のいずれか一項に記載の洪水防止障壁の使用。
【発明の詳細な説明】
【技術分野】
【０００１】
本発明は洪水防止障壁に関し、詳細には、迅速に容易に配備され得る、かつ汚染された充填材料を後に残すことなく配備現場から除去され得るものに関する。
【背景技術】
【０００２】
洪水は、世界各地で深刻化している問題である。それには、一般的に、障壁を立てて、上昇する水位をある領域の外に保つことにより対処している。特に洪水が起こる直前は気象条件が悪いことが多いので、そのような障壁は、一般に、迅速に容易に立てられなければならない。さらに、洪水の事前の警告は殆どないかまたは全くないことが多いので、障壁が配備される現場で容易に入手可能な材料を使用し得ることが有益であると考えられる。
【０００３】
よく使用される洪水障壁には、土または砂で満たされたバッグが含まれ、該バッグは、次いで、ポリエチレンなどの不透水性材料で包まれる。このプロセスは時間がかかり、強固な十分に不透水性の障壁をもたらすことが保証され得ない。バッグ間に、特にそれらの基部に小間隙が生じることはよくあることである。次いで、水がこれらの間隙を通過し、漏れをもたらす可能性がある。障壁を通過する水量は洪水の力に左右されるが、それは相当である可能性がある。また、水の力は障壁の真下の地面に水路を作り出す可能性があり、それにより、障壁を通過し得る水量を増大させる可能性がある。
【０００４】
洪水が治まると、バッグを充填するために使用された材料の処分もまた問題となる。充填材は、一般に、洪水中に存在する汚物などの物質で汚染されており、それは洪水の間にバッグ内に染み込む。残念ながら、単にバッグを切り開いて汚染された充填材を除去することにより障壁を除去することが一般的な慣行であり、該充填材は、一般に、現場に残される。この慣行は、周辺地域の環境および安全の両方に影響を与える。
【０００５】
欧州特許第１７３１６７８号明細書が、複数の個々の区画を含む洪水障壁を開示している。これらの区画は、隣接した個々の区画の隣接した側壁間に延在する、ねじ、釘、クランプ等により取り付けられている。複数の個々の区画が接続されてユニットを形成することができ、２つのユニット同士は、各ユニット内の個々の区画が接続されているのと同じ方法で、すなわちねじ、釘、クランプ等を使用して、取り付けられることが可能である。
［先行技術文献］
［特許文献］
［特許文献１］欧州特許第１７３１６７８号明細書
【発明の概要】
【発明が解決しようとする課題】
【０００６】
これによりいくつかの改善がもたらされるが、依然として、漏れ抵抗が向上した、現場からの汚染された充填材の除去を可能にする、手早く簡単に立てられる洪水障壁が必要である。
【課題を解決するための手段】
【０００７】
本発明は、洪水防止障壁であって、
ａ．共に接続されておりかつ障壁の少なくとも１つの側面に沿って個々の区画を横断して延在している不透水性材料の連続長が設けられている、第１の複数の個々の区画と、
ｂ．共に接続されておりかつ障壁の少なくとも１つの側面に沿って個々の区画を横断して延在している不透水性材料の連続長が設けられている、第２の複数の個々の区画と、
ｃ．第１の複数の個々の区画を第２の複数の個々の区画に締結する締結手段と
を含む、洪水防止障壁を提供する。
【０００８】
締結手段は、各複数の個々の区画上に例えばプラスチックまたは金属で作製されたアイレットなどの任意の適切な締結手段を含んでいてもよく、該任意の適切な締結手段は、次いで、ケーブルタイなどの手段により接続される。ケーブルタイは例えば金属またはプラスチックで作製されていてもよく、解除可能または解除不可能であってもよい。あるいは、不透水性ジッパ（例えば、ＭａｘｉＧｒｉｐ  ＭＸ  ２０）、Ｖｅｌｃｒｏ（商標）、またはＣリング（次いで円形に変形され、それにより２つの区画を接続する、Ｃ形金属ステープル）などの他の手段が使用され得る。任意の数のそのような締結手段は、各接合部で使用されて、２つの個々の区画を接続してもよい。
【０００９】
また、各複数の個々の区画は、前述のものなどの締結手段により接続されてもよい。やはり、任意の数のそのような締結手段は、各接合部で使用されて、２つの個々の区画を一緒に接続してもよい。アイレットおよびケーブルタイ、またはＣリングが使用されている場合、２つの個々の区画間の各接合部に沿って等間隔に置かれた４つの締結手段が存在することが好ましい。換言すれば、各個々の区画間にある障壁の前面に４つの締結手段および各個々の区画間にある障壁の後面に４つの締結手段が存在する。
【００１０】
また、本発明は、洪水防止障壁であって、第１の解除不可能な締結手段により接続されている第１の複数の個々の区画を含み、複数の個々の区画は、第１の複数の個々の区画を第２の複数の個々の区画に解除可能に締結するのに有効な少なくとも１つの第２の解除可能な締結手段を含む、洪水防止障壁を提供する。
【００１１】
「解除可能」とは、締結手段が前記取外し後に再締結され得るように、該手段を破壊することなく、該手段が取り外されることが可能であることを意味する。対照的に、解除不可能な締結手段は、該手段の破壊または障壁からのそれらの除去のどちらかにより取り外されることができるだけであり、その結果、それらはその後再締結されることが不可能である。一実施形態では、第１の解除不可能な締結手段は、不透水性であり得る材料の連続長を含む。
【００１２】
本明細書に用いられている「締結手段」への言及は、第１の複数の個々の区画を第２の複数の個々の区画に締結する締結手段を指す。締結手段は、複数の個々の区画の少なくとも１つの区画に設けられていてもよいことが好ましい。締結手段が設けられている少なくとも１つの区画は、端部区画であってもよい。さらにまたはあるいは、第２の複数の個々の区画の補完的締結手段は端部区画上にあってもよい。締結手段は、追加機器を必要とせずに、締結され、随意にまた取り外されることが可能であることが好ましい。
【００１３】
本発明の個々の区画は内蔵ユニットであり、該内蔵ユニットは解除不可能な締結手段により接続されており、該解除不可能な締結手段は、障壁の少なくとも一方の側面に沿って個々の区画を横断して延在している不透水性材料の連続長であってもよい。個々の区画はバッグであることが好ましい。各個々の区画は側壁と基部とを含むことが好ましい。個々の区画は互いにぴったり付くように設計されていることが好ましいので、例えば立方形であってもよい。各個々の区画の少なくとも一部が不透水性材料を含んでいてもよい。本明細書に用いられている用語「別の個々の区画に隣接した側壁」は、互いに直面する隣接した個々の区画の隣接した側壁を指す。
【００１４】
個々の区画のいくつかまたは全てが充填材を含有することができる。個々の区画の全てが充填材を含有することが好ましい。充填材は、砂、土、土壌、石、岩、瓦礫、コンクリート、破片、およびそれらの２つ以上の組合せから選択されてもよい。この充填材は、障壁に安定性をもたらし、配備現場の周辺に自然に見られる材料であることが好ましい。
【００１５】
充填材が隣接した個々の区画間に落下しないようにする手段が存在してもよい。これは、充填材が区画に導入されている時、特に充填材が砂などの微細物質である場合、特に重要である。この手段には、区画間に延在しかつ他方の個々の区画に隣接した側壁の各々の内面に締結される材料が含まれてもよい。該材料は、例えばステープルまたはステッチにより締結されてもよい。随意に、該手段は、他方の個々の区画に隣接した側壁の一方の内面に取り付けられていてもよく、その後、他方の側壁に取り付けられることが可能である。
【００１６】
洪水防止障壁は自立性であることが好ましい。したがって、洪水防止障壁は、充填材が挿入される前に直立することができる。このことを達成するために、個々の区画のいくつかまたは全てが堅い布で作製されていてもよい。さらにまたは代替として、個々の区画のいくつかまたは全てはポリプロピレンで作製されていてもよい。さらに、個々の区画のいくつかまたは全ては硬化材料を含んでおり、剛性を実現するかまたは高めてもよい。硬化材料は個々の区画の全側壁に存在していてもよい。硬化材料は任意の適切な材料であってもよく、ジオグリッド、木および／またはポリプロピレンの１つまたは複数を含んでいてもよい。「ジオグリッド」とは、草または土壌の補強のために慣例的に使用される材料を意味する。Ｃｏｒｒｅｘが使用されて、剛性を実現するかまたは高めることが好ましい。
【００１７】
この硬化材料は１つまたは複数パネルとして挿入され得る。パネルは、個々の区画の側壁の内面に当接して配置されてもよいか、または個々の区画の側壁内に形成されているポケット内に挿入されてもよい。ポケットは、次いで、閉鎖され、パネルを封じ込めることができる。側壁がそれらの長さに沿った点で折り畳まることができるように、２つの隣接したパネルは２つの対向側壁の各々において使用されてもよい。これにより、障壁が充填されていない時にぺしゃんこになることが可能になる。さらにまたはあるいは、別の個々の区画に隣接した側壁は１つのパネルを含んでいてもよく、一方、垂直な側壁が折り畳まって障壁が圧縮されることを可能にするように、別の個々の区画に対して垂直な側壁は２つのパネルを含んでいてもよい。パネルは側壁の全長に沿って延在していない可能性があり、それにより壁が折り畳まることが可能になり、それにより障壁が圧縮されることを可能にする。
【００１８】
代替的に、材料が区画の幅に膨張するが円筒形状を維持するように、材料は円筒に丸められ、区画内に配置されることが可能である。
【００１９】
個々の区画のいくつかまたは全てが開放可能な基部を含んでいてもよい。これにより、障壁が解体されると、充填材が個々の区画から容易に解放されることが可能になる。基部は、そのような開放可能な特徴が使用されるまで閉じられたままであることが好ましく、その結果、充填材を含む区画は配備現場から除去されることが可能である。充填材は、次いで、適切である場合に解放されることが可能である。しかし、基部は、複数の個々の区画の真下を水が通過する可能性を最小限にするために、平坦かつ／または滑らかであることが好ましい。任意の適切な手段が使用されて、開放可能な基部が開くのを可能にしてもよい。一装置では、開放可能な基部は、解除されて開口部が開くことを可能にし得るトグル機構等により閉じられた状態のままである開口部を含んでいてもよい。
【００２０】
さらに、個々の区画のいくつかまたは全てが持上げ手段を含んでいてもよい。そのような持上げ手段には、個々の区画の最上縁部上のハンドルが含まれてもよい。持上げ手段は、洪水が治まると、個々の区画が洪水障壁から除去されるのを助ける。
【００２１】
複数の個々の区画は任意の数の個々の区画を含んでいてもよい。その数は、２と１５の間のであることが好ましく、５と１２の間であることがより好ましく、１０であることがさらにより好ましい。
【００２２】
複数の個々の区画は、一区画の深さである個々の区画の列を形成するために並べられていてもよい。本線形実施形態では、複数の個々の区画は、個々の区画の全ての長さに沿って延在している２つの長い側面と、単一区画の深さに等しい２つの短い側面とを有する。本実施形態では、不透水性材料の連続長が長い側面の少なくとも一方に沿って延在していてもよい。複数の個々の区画を第２の複数の個々の区画に締結する締結手段は、長い側面の一端または両端にあることが好ましく、長い側面上にかつ／または短い側面上に配置されていてもよい。
【００２３】
洪水防止障壁は、その側面の一方の全体に沿って不透水性であることが好ましい。これは、第１の複数の個々の区画が第２の複数の個々の区画に締結される点が不透水性であることを意味する。前段で検討されている線形実施形態では、この側面は長い側面の一方であることが好ましい。不透水性側面に対する複数の個々の区画の反対側側面は、不透水性であることが好ましい。これは、洪水が障壁により阻止されること、しかし個々の区画内に必ず漏れるいずれの水も次いで逃げることができることを意味する。さらなる実施形態では、不透水性側面は反対側側面とは異なって着色されている。これにより、障壁が向くべき方向の容易な確認が可能になり、かつ複数の複数を含む障壁内の複数の個々の区画の１つが逆に配置されたことが明確になる。さらにまたはあるいは、第１の複数の個々の区画を第２の複数の個々の区画に締結する締結手段は、誤った構造で２つの複数の個々の区画を取り付けることが不可能であるように配置されていてもよい。
【００２４】
第１の解除不可能な締結手段は、ねじ、釘、クランプ等を含んでいてもよい。あるいは、第１の解除不可能な締結手段は、複数の個々の区画の側面に沿って延在している不透水性材料を含んでいてもよく、該不透水性材料は、ステッチ、ステープル等により、個々の区画の少なくともいくつかに接続されていてもよい。この側面は、複数の個々の区画の外面であってもよく、また、別の個々の区画に隣接した個々の区画の側面に対して垂直な側面であってもよい。前段で検討されている線形実施形態では、この側面は長い側面の一方であることが好ましい。一実施形態では、材料の第２の長さが、不透水性材料が沿って延在している側面の反対側側面に沿って延在している。この第２の材料は不透水性であってもよい。不透水性材料は、複数内の個々の区画の全てを接続するのに使用されてもよい。不透水性材料は、複数内の１つ１つの個々の区画の側面に沿って延在していることが好ましい。
【００２５】
不透水性材料は、第１の複数の個々の区画を第２の複数の個々の区画に締結する締結手段をそれが覆うことができるように、複数の個々の区画の側面を越えて延在していてもよい。一実施形態では、該材料は、第１の複数の個々の区画を第２の複数の個々の区画に取り付ける締結手段を含む。該材料はそのまたは各複数の個々の区画の真下に延在していてもよいことが好ましい。これにより、水に起因する地面の経路の形成が減少し、それにより障壁下の洪水の通過が減少することにより、障壁を通り抜ける漏れが減少する。したがって、障壁の真下に延在する、複数の個々の区画の不透水性側面上に、材料の分離した部分を含むことが好ましい可能性がある。
【００２６】
第１の複数の個々の区画を第２の複数の個々の区画に締結する締結手段は、ねじ、釘、クランプ等を含んでいてもよい。やはりまたは代替として、第１の複数の個々の区画を第２の複数の個々の区画に締結する締結手段は、前記取外し後に該手段が再締結され得るように、該手段を破壊することなく取り外されることが可能である手段を含む。一実施形態では、第１の複数の個々の区画を第２の複数の個々の区画に締結する締結手段は、ジッパ、バックル、または他の装置の１つまたは複数であってもよい。第１の複数の個々の区画を第２の複数の個々の区画に締結する締結手段は不透水性であってもよい。複数のバックルが使用されてもよく、２つまたは３つのバックルが使用されることが好ましい。そのような締結手段は一般に高価であるので、これらの締結手段を複数の個々の区画毎に１回組み込むことにより、各個々の区画間に締結手段が含まれている障壁と比較してコストが低減される。締結手段は、不透水性であることが好ましくかつ障壁を通り抜ける漏れをさらに減少させるように作用する材料の部分により覆われていることが好ましい。材料の部分は、前段で検討されている通り、不透水性材料を含んでいてもいなくてもよい。同じまたは異なる締結手段が、締結手段が存在する各点で使用されてもよい。
【００２７】
バックルおよびジッパの両方が使用されることが好ましい。バックルは２つの複数の個々の区画の各端部に取り付けられてもよく、２つの複数を保持する応力の大部分を引き受けてもよく、それによりジッパを閉じるのがより容易になると考えられる。ジッパは、バックルを覆う材料の部分に取り付けられてもよく、向上した不透水性およびさらなる締結手段をもたらす。材料の部分は、複数の個々の区画の一方または両方の不透水性材料を含んでいてもいなくてもよい。
【００２８】
不透水性材料上に締結手段が存在する場合、締結手段自体が不透水性シールを作り出すように作用することが好ましい。例えば、ＭａｘｉＧｒｉｐ  ＭＸ  ２０などの不透水性ジッパが使用され得る。
【００２９】
第１の複数の個々の区画を第２の複数の個々の区画に締結する締結手段は、複数の個々の区画の一方の側面上にのみ設けられていてもよい。あるいは、第１の複数の個々の区画を第２の複数の個々の区画に締結する締結手段は、複数の個々の区画の両側面上に設けられている。前段で検討されている線形実施形態では、不透水性材料は長い側面の一方または両方に沿って延在していてもよい。第１の複数の個々の区画を第２の複数の個々の区画に締結する締結手段は、短い側面の一方または両方に、または短い側面の一方または両方に近接した長い側面上に存在していてもよい。さらにまたはあるいは、第１の複数の個々の区画を第２の複数の個々の区画に締結する締結手段は、長い側面の一方または両方に、または長い側面の一方または両方に近接した短い側面上に、存在していてもよい。
【００３０】
さらに、また、そのまたは各複数の個々の区画内の隣接した個々の区画間に、前述したような締結手段（解除可能なまたはその反対の）が存在していてもよい。これにより、障壁に強度および安定性の増大がもたらされる可能性があり、また、そのような締結手段は、それらが充填される前にかつ／または（解除可能な締結の場合に）洪水防止障壁を分解する場合に、個々の区画を複数の個々の区画から別々に除去するのをより容易にすると同時に、区画をまとめるのに使用されてもよい。例えば、本発明のいくつかの実施形態では、バックルまたはジッパなどの解除可能な締結手段が、そのまたは各複数の個々の区画内の個々の区画間に設けられていてもよい。そのような締結手段は、不透水性材料の連続シートと障壁の反対側に区画上に設けられていてもよいことが好都合である。
【００３１】
漏れをさらに減少させるために、本発明の洪水防止障壁は、複数の個々の区画の少なくとも一方の側面の最上部から底部までの距離の少なくとも一部に延在している圧縮性部材をさらに含んでいてもよい。さらにまたは代替として、洪水防止障壁は、複数の個々の区画の少なくとも一方の側面の基部に沿った距離の少なくとも一部に延在している圧縮性部材を含んでいてもよい。前段で検討されている線形実施形態では、圧縮性部材は、複数の個々の区画の短い側面の一方または両方にあることが好ましい。
【００３２】
前記圧縮性部材は発泡体を含んでいてもよく、中空発泡体チューブをさらに含んでいてもよい。圧縮性部材は弾性的に圧縮性であることが好ましい。さらなる実施形態では、第１の複数の個々の区画を第２の複数の個々の区画に締結する締結手段により２つが取り付けられている場合、複数の個々の区画の一方の側面に沿った距離の少なくとも一部に延在している圧縮性部材は、第２の複数の個々の区画の隣接した側面に沿った対応する距離の少なくとも一部に延在している圧縮性部材からずらされている。
【００３３】
圧縮性部材が配置されている個々の区画が充填材で満たされると、圧縮性部材は、（別の複数の個々の区画であってもよい）複数の個々の区画の側面に隣接した表面に当接して圧縮されることが好ましい。圧縮性部材が不透水性シールを形成するので、これは、漏れをさらに減少させるように作用する。漏れが約１０％低減されることが好ましい。
【００３４】
本発明による洪水防止障壁は任意の数の複数の個々の区画を含んでいてもよい。３つ以上の複数の個々の区画が存在することが好ましい。これにより、配備現場の要件に応じて調節可能な長さの障壁がもたらされる。
【００３５】
また、本発明による洪水防止障壁を配備する方法が提供され、折り畳まれた複数の個々の区画を配備する現地に運搬するステップと、複数の個々の区画を広げるステップと、各個々の区画を充填材で満たすステップであり、その前または後に、複数の個々の区画が、第１の複数の個々の区画を第２の複数の個々の区画に締結する締結手段により、１つまたは複数の個々の区画の別のグループに取り付けられる、満たすステップとを含む。ある実施形態では、洪水防止障壁の端部にある個々の区画が充填材で満たされ、複数の個々の区画を広げ、立てるために、その後、洪水防止障壁の反対側端部に張力がかけられる。あるいは、複数の個々の区画は配備現場に設けられ、立てられ、また随意に充填される。
【００３６】
本発明の洪水防止障壁が除去された場合、複数の個々の区画を分離するために、第１の複数の個々の区画を第２の複数の個々の区画に締結する締結手段は解除されてもよい。ある実施形態では、不透水性材料は、個々の区画を分離するために破壊される。各個々の区画は、次いで除去され、現場から別々に撤去されてもよい。各個々の区画内の充填材は、現場で解放されてもよく、または個々の区画が現場から撤去されたら解放されてもよい。
【００３７】
また、洪水などの自然の力に対抗する障壁としての、本発明による洪水防止障壁の使用が提供される。
【００３８】
本発明の上記実施形態のいずれかが、個々の区画の１つまたは複数の最上部を覆って少なくとも部分的に延在している蓋部をさらに含んでいてもよい。この蓋部は、例えば水または風により、充填材が区画から偶発的に除去されないようにする。充填材の除去は、障壁がより軽量となるので、より容易に変位させられることを意味すると考えられる。
【００３９】
蓋部は、個々の区画の最上部の全体を覆って延在していることが好ましい。蓋部は、任意の適切な手段を使用して、個々の区画に締結されてもよい。蓋部自体が任意の適切な材料を含んでいてもよい。一実施形態では、蓋部は、障壁の最上部を少なくとも部分的に覆って障壁の側面から延在している不透水性材料により、少なくとも部分的に形成されていてもよい。本実施形態では、不透水性材料の少なくとも一部が、それが沿って延在している１つまたは複数の区画より高くてもよく、その結果、１つまたは複数の個々の区画の最上部を覆って伸びることができ、それにより蓋部を作り出すことができる。
【００４０】
また、障壁が、暗闇の中での障壁の可視性を高める反射材料を含んでいてもよい。この反射材料は、不透水性材料の反対側の障壁の後部上にあることが好ましい。反射材料は、持上げ手段、蓋部、または個々の区画自体の上などの任意の適切な位置にあってもよい。
【００４１】
本発明の１つまたは複数の実施形態が、単に例として、添付図面を参照して、以下にさらに記載されている。
【図面の簡単な説明】
【００４２】
【図１】複数の個々の区画の上面図である。
【図２】第２の複数の個々の区画に隣接した、図１に示されているような複数の個々の区画の正面図である。
【図３】第２の複数の個々の区画に隣接した、図１に示されているような複数の個々の区画の背面図である。
【図４】別の複数の個々の区画に隣接したかつ圧縮性部材をさらに含む、複数の個々の区画の上面図である。
【図５】別の複数の個々の区画に隣接したかつ圧縮性部材をさらに含む、複数の個々の区画の側面図である。
【図６】洪水に対抗して配備された場合の、本発明の洪水障壁の図である。
【図７】硬化手段をさらに含む、図１に示されている複数の個々の区画の図である。
【図８】隣接した個々の区画間に充填材が落下しないようにする手段をさらに含む、図２に示されている複数の個々の区画の正面図である。
【図９】個々の区画の最上部を覆って延在している蓋部を含む、本発明のさらなる実施形態の後面図である。
【図１０】図９に示されている個々の区画の１つの側面図である。
【発明を実施するための形態】
【００４３】
図面をより詳細に見ると、図１は、不透水性材料２の連続長により接続されている複数の個々の区画１の上面図を示す。本実施形態では、不透水性材料２は、該材料を個々の区画１に取り付けるステッチ４を含む。締結手段３が、バックルの形で、複数の個々の区画１の端部区画上に存在している。さらなる締結手段が、不透水性材料２の延長部である材料６の部分の端部上にジッパ５として示されている。また、持上げ手段７が、個々の区画１の各角部にハンドルの形で示されている。
【００４４】
図２は、第２の複数の個々の区画１に隣接した、図１に示されているような複数の個々の区画１の正面図を示す。各障壁内の個々の区画１は不透水性材料２により接続されている。（この場合には３つのバックルを含む）締結手段３は、各複数の個々の区画１の両端部区画上に存在している。材料６の部分は締結手段３を覆って延在し、ジッパ５を使用して隣接した複数の個々の区画１に取り付けられ、それにより、複数の個々の区画１間での洪水の漏れを減少させる。
【００４５】
図３は、第２の複数の個々の区画１に隣接した、図１に示されているような複数の個々の区画１の背面図を示す。各障壁内の個々の区画１は不透水性材料２により接続されている。（この場合は３つのバックルを含む）締結手段３は各複数の個々の区画１の両端部区画上に存在している。
【００４６】
図４は、別の複数の個々の区画１に隣接した、複数の個々の区画１の上面図を示し、その各々は不透水性材料２により接続されている。個々の区画１はどちらも、締結手段３を含む。各個々の区画１は、個々の区画１の側面の最上部から底部までの距離に延在している圧縮性部材９をさらに含む。本実施形態では、２つの圧縮性部材９は互いからずらされている。個々の区画１の一方は、個々の区画１の基部に沿った距離の一部に延在している圧縮性部材８をさらに含む。
【００４７】
図５は、図４に示されているような複数の個々の区画１の側面図を示す。やはり、この図は別の複数の個々の区画１に隣接した複数の個々の区画１を示し、その各々は不透水性材料２により接続されている。個々の区画１はどちらも、締結手段３を含む。各個々の区画１は、個々の区画１の側面の最上部から底部までの距離に延在している圧縮性部材９をさらに含む。個々の区画１の一方は、個々の区画１の基部に沿った距離の一部に延在している圧縮性部材８をさらに含む。
【００４８】
図６は、洪水１１に対抗して配備された場合の、本発明の洪水障壁を示す。個々の区画１は地面１０上に配置されており、不透水性材料２は洪水１１に面している。材料１６の対向長は、不透水性材料の反対側側面に沿って延びており、不透水性であることが好ましい。本実施形態では、不透水性材料２の部分が個々の区画１の真下に延在しており、漏れをさらに減少させる。２つの圧縮性部材８、９もまた示されている。
【００４９】
図７は、硬化手段１２、１３をさらに含む、図１に示されている複数の個々の区画１を示す。硬化手段１３は、別の個々の区画に隣接した個々の区画の側壁に沿って延在しており、側壁の内面に当接して配置されている単一パネルを含む。硬化手段１２は、別の個々の区画に隣接した側壁に垂直な側壁に沿って延在している。２つの硬化手段１２が互いに隣接して配置されており、側壁の内面の全長に沿って延在している。これにより、垂直な側壁が中心で折り畳まることが可能になり、複数の個々の区画１が潰れることが可能になる。
【００５０】
図８は、隣接した個々の区画間に充填材が落下しないようにする手段をさらに含む、図２に示されている複数の個々の区画１の正面図を示す。手段１４は、隣接した個々の区画１間に延在しておりかつ隣接した側壁の各々の内面に締結されている材料を含む。手段１４は、ステッチまたはステープルを含んでいてもよい締結手段１５により締結されている。
【００５１】
図９は、個々の区画２１の各々の最上部を覆って延在している蓋部２２を含む、本発明のさらなる態様による複数の個々の区画２１の後面図を示す。蓋部２２は、最上部２２ａと、個々の区画２１の前面に沿って延在している前面部２２ｂとを含む。前面部２２ｂは、個々の区画２１の前面に沿って延在しているポリエチレンを含む不透水性材料である。蓋部２２は、次いで、個々の区画２１の最上部を覆って伸び、最上部２２ａを形成し、その結果、前面部２２ｂと最上部２２ａとは連続している。充填材が個々の区画２１から偶発的に除去されないようにするのは、この最上部２２ａである。前面部２２ｂから最も遠く離れた最上部２２ａの縁部は、次いで、Ｖｅｌｃｒｏにより個々の区画２１に取り付けられる。
【００５２】
図１０は、図９に示されている複数の個々の区画２１の１つの側面図を示す。蓋部２２の前面部２２ｂは、個々の区画２１の高さに沿ってかつその真下に延在して示されている。これにより、蓋材料をしっかり固定する手段がもたらされ、かつ個々の区画２１に防水性前面がもたらされる。また、前面部２２ｂは、個々の区画２１の最上部を覆って延在して、蓋部２２の最上部２２ａを形成する。また、個々の区画２１の両側にハンドルの形の持上げ手段２７が示されている。
【００５３】
また、図１０は個々の区画２１の最上角部の拡大図を示し、そこでは、蓋部２２の材料が個々の区画２１の最上部を覆って延在しており、ステープル２３を使用してその内側にステープルで留められている。
【図１】
2016532033.tif 000003
【図２】
2016532033.tif 000004
【図３】
2016532033.tif 000005
【図４】
2016532033.tif 000006
【図５】
2016532033.tif 000007
【図６】
2016532033.tif 000008
【図７】
2016532033.tif 000009
【図８】
2016532033.tif 000010
【図９】
2016532033.tif 000011
【図１０】
2016532033.tif 000012
【国際調査報告】
2016532033.tif 000013
2016532033.tif 000014
2016532033.tif 000015